(57)【特許請求の範囲】
【請求項１】
遊技盤と、前記遊技盤を保持するための遊技盤保持枠と、前記遊技盤および前記遊技盤保持枠の一方に配設されて、前記遊技盤保持枠に対する前記遊技盤の着脱に伴って、前記遊技盤および前記遊技盤保持枠の他方側の第２コネクタと着脱する第１コネクタを有する第１ジョイントユニットとを含む弾球遊技機であって、
前記第１ジョイントユニットは、
前記第１コネクタを前方側に露出するための窓を有する前側ベース部材と、
前記前側ベース部材の後方に配置され、前記前側ベース部材とで前記第１コネクタを挟むように配置される後側ベース部材と、
前記第１コネクタを、前記窓に対向する位置において遊嵌状態で支持する遊嵌支持構造と、
前記前側ベース部材と前記後側ベース部材との間からの前記第１コネクタの離脱を阻止しながら前記前側ベース部材と前記後側ベース部材とを互いに結合する結合構造とを含み、
前記遊嵌支持構造は、
前記前側ベース部材および前記後側ベース部材の一方に設けられ、前記前側ベース部材および前記後側ベース部材の他方に向けて突出する軸部と、
前記第１コネクタのハウジング部に形成され、前記軸部を収容する収容部と、
前記軸部が内挿固定される筒状部を有し、前記収容部に抜け止め状態かつ遊嵌状態で取り付けられた遊嵌具とを含む、弾球遊技機。
【請求項２】
前記第１コネクタは、複数個設けられており、
前記前側ベース部材は、前記第１コネクタに対応して前記窓を複数個有し、
前記遊嵌支持構造は、各第１コネクタを、当該第１コネクタに対応する前記窓に対向する位置において、遊嵌状態で支持する、請求項１に記載の弾球遊技機。
【発明の詳細な説明】
【技術分野】
【０００１】
この発明は弾球遊技機に関し、とくに、遊技盤の裏面および遊技盤保持枠の一方に配設されて、遊技盤保持枠に対する遊技盤の着脱に伴って、遊技盤の裏面および遊技盤保持枠の他方側のジョイントユニットと着脱するジョイントユニットを含む弾球遊技機に関する。
【背景技術】
【０００２】
パチンコ機等の弾球遊技機は、遊技島への取付けのための外枠と、外枠に片開き可能に支持された遊技盤保持枠とを備えている。遊技盤保持枠には遊技盤が装着される。遊技盤保持枠に対する遊技盤の着脱は、たとえば遊技盤保持枠の前側から行われる。
遊技盤の前面に形成される遊技領域には、種々の入賞装置や表示器等が配設されている。また、遊技盤の裏側には、弾球遊技機による遊技動作を制御（入賞装置や表示器を制御）するための基板である主制御基板や演出制御基板等が配設されている。一方、遊技盤保持枠側には、電源基板、発射制御基板、払出制御基板等が装着されている。
【０００３】
従来から、電源基板等に電気的に接続された枠側コネクタを複数個有し、遊技盤保持枠に配設された枠側ジョイントユニットと、主制御基板等に電気的に接続された複数の盤側コネクタを有し、遊技盤の裏側に配設された盤側ジョイントユニットとを備えた弾球遊技機が知られている（たとえば下記特許文献１〜４参照）。このような弾球遊技機では、遊技盤保持枠に対する遊技盤の装着動作に連動して、枠側ジョイントユニットと盤側ジョイントユニットとが連結され、枠側コネクタと盤側コネクタとの電気的接続が達成されるようになっている。
【先行技術文献】
【特許文献】
【０００４】
【特許文献１】特開２００９−５８０５号公報
【特許文献２】特開２００９−５８０６号公報
【特許文献３】特開２０１０−２６８８３５号公報
【特許文献４】特開２０１０−２６８８３６号公報
【発明の概要】
【発明が解決しようとする課題】
【０００５】
特許文献１〜４では、遊技盤保持枠に対する遊技盤の着脱を円滑に行うべく、両ジョイントの連結時に第１ジョイントユニット（たとえば枠側ジョイントユニット）の第１コネクタ（たとえば枠側コネクタ）が第２コネクタ（盤側コネクタ）に対して追従して移動可能な構成が採用されている。すなわち、第１ジョイントユニットのベース部材に遊びを持った状態（以下、「遊嵌状態」という場合がある。）で第１コネクタが支持されている。具体的には、各第１コネクタのハウジング部に形成された大径のねじ挿通孔を介して、小径のねじをベース部材にねじ込むことにより、各第１コネクタとベース部材とが結合される。
【０００６】
この場合、第１および第２ジョイントユニットの着脱時の衝撃で、ベース部材と第１コネクタとが分離してしまわないように、各第１コネクタはベース部材に対して強固に結合されていることが望ましい。
ところが、第１コネクタのベース部材に対する結合力を高めるために、ねじの締付け量（ねじ込み量）を増やすとすれば、ベース部材に対して遊びの状態にある第１コネクタの移動を規制してしまい、その結果ベース部材に対する第１コネクタの移動量を狭めるおそれがある。半面、ベース部材の遊びの移動量を十分に確保するためにねじ込み量を少なくすると、第１コネクタをベース部材に対して強固に結合することができないという問題がある。
【０００７】
そこで、本発明の目的は、ベース部材とコネクタとの間が強固に結合されるとともに、ベース部材に対するコネクタの遊びの移動量を十分に確保することができるジョイントユニットを有する弾球遊技機を提供することである。
【課題を解決するための手段】
【０００８】
前記の目的を達成するための請求項１記載の発明は、遊技盤（５）と、前記遊技盤を保持するための遊技盤保持枠（３）と、前記遊技盤および前記遊技盤保持枠の一方に配設されて、前記遊技盤保持枠に対する前記遊技盤の着脱に伴って、前記遊技盤および前記遊技盤保持枠の他方側の第２コネクタ（８１Ａ，８１Ｂ，８１Ｃ，８１Ｄ）と着脱する第１コネクタ（６１Ａ，６１Ｂ，６１Ｃ，６１Ｄ）を有する第１ジョイントユニット（６０）とを含む弾球遊技機（１）であって、前記第１ジョイントユニットは、前記第１コネクタを前方側に露出するための窓（１０２Ａ，１０２Ｂ，１０２Ｃ，１０２Ｄ）を有する前側ベース部材（１００）と、前記前側ベース部材の後方に配置され、前記前側ベース部材とで前記第１コネクタを挟むように配置される後側ベース部材（１２０）と、前記第１コネクタを、前記窓に対向する位置において遊嵌状態で支持する遊嵌支持構造と、前記前側ベース部材と前記後側ベース部材との間からの前記第１コネクタの離脱を阻止しながら前記前側ベース部材と前記後側ベース部材とを互いに結合する結合構造とを含み、前記遊嵌支持構造は、前記前側ベース部材および前記後側ベース部材の一方に設けられ、前記前側ベース部材および前記後側ベース部材の他方に向けて突出する軸部（１２４）と、前記第１コネクタのハウジング部（６２）に形成され、前記軸部を収容する収容部（６８）と、前記軸部が内挿固定される筒状部（６９Ａ）を有し、前記収容部に抜け止め状態かつ遊嵌状態で取り付けられた遊嵌具（６９）とを含む、弾球遊技機である。
【０００９】
なお、括弧内の英数字は、後述の実施形態における対応構成要素等を表すが、特許請求の範囲を実施形態に限定する趣旨ではない。以下、この項において同じ。
請求項２記載の発明は、前記第１コネクタは、複数個設けられており、前記前側ベース部材は、前記第１コネクタに対応して前記窓を複数個有し、前記遊嵌支持構造は、各第１コネクタを、当該第１コネクタに対応する前記窓に対向する位置において、遊嵌状態で支持する、請求項１に記載の弾球遊技機である。
【発明の効果】
【００１３】
この発明によれば、ベース部材とコネクタとの間が強固に結合されるとともに、ベース部材に対するコネクタの遊びの移動量を十分に確保することができるジョイントユニットを有する弾球遊技機を提供できる。
【図面の簡単な説明】
【００１８】
【図１】本発明の一実施形態に係る弾球遊技機の正面図である。
【図２】図１に示す弾球遊技機の右側面図である。
【図３】図１に示す弾球遊技機の平面図である。
【図４】図１に示す弾球遊技機の背面図である。
【図５Ａ】図２〜図４に示す前枠の斜視図である（その１）。
【図５Ｂ】図２〜図４に示す前枠の斜視図である（その２）。
【図６】遊技盤の背面図である。
【図７】図１に示す弾球遊技機の電気的構成を示すブロック部である。
【図８】図６に示す集玉ケースおよび盤側ジョイントユニットの斜視図である。
【図９】図８に示す盤側ジョイントユニットの分解斜視図である。
【図１０】図８および図９に示す盤側コネクタカバーの斜視図である。
【図１１】図６に示す遊技盤を、図５Ａおよび図５Ｂに示す前枠に装着する際の状態を示す要部の横断面図である。
【図１２】図５Ａおよび図１１に示す枠側ジョイントユニットを前枠から取り外した状態を示す斜視図である。
【図１３】図１２に示す枠側ジョイントユニットの分解斜視図である。
【図１４】図１３に示す枠側コネクタの平面図である。
【図１５】図１４に示す矢視Ｐから見た図である。
【図１６】図１３に示す枠側コネクタの要部断面図である。
【図１７】図１３に示す前側ベース部材の平面図である。
【図１８】図１３に示す前側ベース部材の斜視図である。
【図１９】図１３に示す後ろ側ベース部材の平面図である。
【図２０】図１９に示す矢視Ｑから見た図である。
【図２１】図１３に示す後ろ側ベース部材の斜視図である。
【発明を実施するための形態】
【００１９】
以下には、図面を参照して、本発明の実施形態について具体的に説明する。
図１は、本発明の一実施形態に係る弾球遊技機１の正面図である。図２〜図４は、それぞれ、弾球遊技機１の右側面図、平面図および背面図である。
弾球遊技機１は、遊技店内に配列された島設備への取付け（設置）のための上下左右の枠からなる矩形の外枠２と、外枠２の前面（正面）側に、片開き（右横開き）可能に取り付けられ、数字や図柄等を表示するための可変表示装置（図示しない）等が備えられた遊技盤５（図６参照）を保持するための遊技盤保持枠としての前枠（図１では図示しない。図２〜図４参照）３とを備えている。以下、図１〜図４を参照して、弾球遊技機１の構成について説明する。
【００２０】
後で参照する図５Ａおよび図５Ｂに示すように、前枠３は上下左右の枠を有し、正面形状が矩形をなしている。前枠３はたとえば合成樹脂製であり、外枠２の前面側に当接する正面視矩形状の枠本体３Ｃ（図５Ａおよび図５Ｂ参照）と、枠本体３Ｃの内側上部に設けられる上部装着部３Ａ（図５Ａおよび図５Ｂ参照）と、この枠本体３Ｃの内側下部に設けられる下部装着部３Ｂ（図５Ａおよび図５Ｂ参照）とを一体に備えている。上部装着部３Ａの正面側には、当該部分の前面を覆うように前扉６が取り付けられている。
【００２１】
前扉６は、前枠３の前面の左側辺の上端部および下端部にそれぞれ設けられた蝶番４Ａ，４Ｂによって、蝶番４Ａ，４Ｂの回動軸まわり、すなわち前枠３の前面の左側辺まわりに回動可能に支持されている。そのため、前扉６は右横開き可能に設けられている。
前扉６は、遊技盤５に対向する位置に略円形の開口８が形成されている。この開口８は大型化しており、前扉６に対して高い比率を占めている。開口８には１または複数枚（たとえば２枚）のガラス板などの透明板９が嵌められていて（覆われていて）、前扉６を閉じた状態で、その透明板９を介して、透明板９の奥側の遊技盤５を視認することができるようになっている。
【００２２】
前扉６の前面上部には、左右一対のスピーカ１０が配設されている。前扉６の前面下部には、弾球遊技機１の演出用に用いられる一または複数（図１ではたとえば３つ）の演出ボタン１３が横一列に配列されている。また、前扉６の前面における開口８、スピーカ１０および演出ボタン１３が配設されている領域を除く領域には、種々の装飾ランプ１１が配設されている。
【００２３】
前扉６の右下部には、前扉６を前枠３に施錠（ロック）するための鍵機構１２が設けられている。この鍵機構１２では、前扉６を前枠３に対して閉じることにより施錠されるようになっている。また、鍵機構１２の鍵穴１２Ａに遊技店の店員などが鍵を挿入して所定方向に回転させることにより、鍵機構１２が解錠されて、前扉６を前枠３に対して開くことが可能になっている。
【００２４】
下部装着部３Ｂの正面側には、当該部分の前面を覆うように下部開閉板１４が右横開き可能に取り付けられている。下部開閉板１４には、発射装置７に供給される遊技玉を貯留しておくための上皿１５と、上皿１５から溢れた遊技玉をオーバーフロー路（図示しない）を通して受け止める下皿１６とが上下に並んで設けられている。上皿１５の上面には、遊技者が押操作（操作）可能な押ボタンタイプの演出ボタン１７が配設されている。また、下皿１６の右側には、遊技玉を遊技盤５に向けて打ち出す際に操作されるハンドル１８が配設されている。
【００２５】
図１〜図３に示すように、前扉６の前面部には、前扉６の右側辺部に、当該右側辺に沿って配置された右辺ユニット２２と、前扉６の上辺部に、当該上辺に沿って配置された上辺ユニット２０とを備えている。
右辺ユニット２２には、その下部分を除く部分（この実施形態では略上半分）に、正面側に向けて膨出する略扁平状をなす膨出部２６が設けられている。膨出部２６は上下に延びる前端面を有し、当該前端面は、前扉６の前面と平行をなしている。膨出部２６の右側面には、装飾パネル２３を、外部から視認可能に収容保持するためのパネル収容部２７が配設されている。装飾パネル２３は、パネル収容部２７に対し、その上端面から着脱可能に設けられている。
【００２６】
上辺ユニット２０は、前扉６における上辺部の略全域から、正面側に向けて膨出する略扁平箱状のものである。上辺ユニット２０の右端部の前端面は、右辺ユニット２２の膨出部２６の前端面と同一平面を有している。上辺ユニット２０の前端面は全体形状は、緩やかに前方に突出する凸湾曲面に形成されている。上辺ユニット２０の左端部の正面側が後方に向けて大きく切り欠かれることにより、略円弧状の凹湾曲面からなる凹部２９が形成されている。
【００２７】
弾球遊技機１を島設備に設置した状態で、前扉６の前面は島設備の前面からほとんど突出しない。これに対し、前扉６のうち、右辺ユニット２２の膨出部２６および上辺ユニット２０は、島設備の前面から大きく前方に突出する。また、この弾球遊技機１と同様の遊技機が複数台横一列に並べられた状態で島設備に設置された場合に、ある弾球遊技機１の前扉６を開状態にしたときであっても、上辺ユニット２０と、その弾球遊技機１の左隣の弾球遊技機１の右辺ユニット２２（または、各弾球遊技機１の左隣にある台間機（図示しない））とが干渉しないように、この凹部２９が形成されている。
【００２８】
図５Ａおよび図５Ｂは、図２〜図４に示す前枠３の斜視図である。
前述のように、前枠３は、正面視矩形状の枠本体３Ｃと、枠本体３Ｃの内側上部に設けられる上部装着部３Ａと、この枠本体３Ｃの内側下部に設けられる下部装着部３Ｂとを一体に備えている。上部装着部３Ａは、遊技盤５（図６参照）を収容保持するための空間であり、下部装着部３Ｂは、発射装置７を収容保持するための空間である。
【００２９】
上部装着部３Ａは、後ろ向き膨出状に形成されて外枠２の内側に嵌合し、遊技盤５を前面に収容保持する遊技盤保持枠部３０と、上部装着部３Ａにおける遊技盤保持枠部３０よりも後側の部分であり、遊技盤保持枠部３０に装着された遊技盤５の後部を略覆う後部ケース３５とを備えている。
遊技盤保持枠部３０は、枠本体３Ｃの上板の直下に位置する上支持枠３１、下部装着部３Ｂの上縁に位置する下支持枠３２、枠本体３Ｃ左縦板の内側に位置する左支持枠３３、および枠本体３Ｃ右縦板の内側に位置する右支持枠３４を有し、前面が開放する矩形枠状に形成されている。上下左右の各支持枠３１〜３４は、遊技盤５をその上下左右の縁部においてそれぞれ支持するためのものであり、遊技盤５の外周面に沿って配置される周壁部と、遊技盤５の背面に沿って配置される後壁部とを備えている。そして、上部装着部３Ａに対する遊技盤５の着脱は、前方から行えるようになっている。
【００３０】
また、支持枠３１〜３４のうちの一つ（たとえば左支持枠３３）には、上部装着部３Ａに装着された遊技盤５と係合する前係合部３３Ｃと、上部装着部３Ａに装着された遊技盤５を前係合部３３Ｃに向けて付勢する付勢部材３３Ｄ（図５Ｂ参照）とを備えている。前係合部３３Ｃは、左支持枠３３から遊技盤５の前面側に沿って突設されている。付勢部材３３Ｄは板ばね等によって構成されており、遊技盤５の左端部を前係合部３３Ｃ側に付勢している。支持枠３１〜３４によって構成される遊技盤保持枠部３０は、遊技盤５の左縁部を、その外周側および前後両側の三方から挟み込むとともに、付勢部材３３Ｄにより前係合部３３Ｃ側に向けて押圧している。これにより、遊技盤５が遊技盤保持枠部３０に強固に支持されている。
【００３１】
また、前枠３の遊技盤保持枠部３０の前端面またはその周囲には、上部装着部３Ａに装着された遊技盤５を固定するための遊技盤ロック部材（図４および図５では図示しない）が、上下一対に配設されている。上側の遊技盤ロック部材は、たとえば、前後方向に延びる所定の回転軸線まわりに回転可能に設けられたロック爪を備える構成であり、たとえば上支持枠３１の右上端部近傍に配設されている。下側の遊技盤ロック部材は、たとえば、前後方向に延びる所定の回転軸線まわりに回転可能に設けられたロック爪（図示しない）を備える構成であり、たとえば下支持枠３２の右上端部近傍に配設されている。
【００３２】
後部ケース３５は、支持枠３１〜３４の後端に連続して設けられた周壁部３５１，３５２，３５３，３５４と、周壁部３５１〜３５４の後端面に連設する後壁部３５５とを有し、全体として、前面が開放する箱状をなしている。周壁部３５１〜３５４は、遊技盤５の上部装着部３Ａへの装着時に、次に述べる裏カバー（上部カバー（図示しない）および集玉ケース）の外周面にそれぞれ沿っている。また、後壁部３５５は、遊技盤５の上部装着部３Ａへの装着時に、次に述べる裏カバー（上部カバーおよび集玉ケース）の背面に沿っている。
【００３３】
後壁部３５５の略中央部には、遊技盤５の裏面に装着された裏カバー（集玉ケース７４を含む構成）の後端部が挿通するための開口部３６が形成されている。開口部３６は、正面視で、後壁部３５５に対して高い比率を占めている。上部装着部３Ａに対する遊技盤５の装着状態では、遊技盤５の方向に配設された基板ケース（主制御基板ケース（図示しない）、演出制御基板ケース（図示しない）および液晶制御基板ケース（図示しない）等）が後壁部３５５よりも後方に配置されている。開口部３６の後方は、後壁部３５５に片開き（横開き）可能に取り付けられた開閉カバー３７（図３および図４参照）が取り付けられている。
【００３４】
後部ケース３５の下側の周壁部３５２には、当該周壁部３５２の左右方向の中央部に形成された切欠部３８と、切欠部３８よりもやや前方かつ下方に設けられた傾斜案内部３９とが備えられている。切欠部３８は、上部装着部３Ａに対する遊技盤５の装着状態で後述する集玉ケース７４の排出口７５に対向する部分に形成されている。傾斜案内部３９は、遊技盤５の裏側に案内された遊技玉を切欠部３８側に誘導する傾斜面４１を有している。
【００３５】
後部ケース３５の右下隅には、上下方向に一列に配列された枠側コネクタ６１Ａ〜６１Ｄを有する枠側ジョイントユニット６０が配設されている。具体的には、後部ケース３５の右下隅には、前側が開放する箱状のジョイントユニットホルダ５２が配設されている。ジョイントユニットホルダ５２は、後壁部３５５の下端部および周壁部３５２の右端部の双方につながっている。ジョイントユニットホルダ５２内には、枠側ジョイントユニット６０が収容保持されている。
【００３６】
図４に示すように、後部ケース３５の背面には、遊技玉タンクユニット４２および払出ユニット４３がそれぞれ着脱可能に装着されている。遊技玉タンクユニット４２は開口部３６の上側に配設されたユニットであり、上面が開放した箱状をなし、弾球遊技機１が設置される遊技機島内の玉循環機構（図示せず）から供給された遊技玉を貯留しておくための遊技玉タンク４４と、遊技玉タンク４４の下部に形成された玉出口と連通し、遊技玉を一列に整列させつつ流下させるタンクレール４５とを備えている。払出ユニット４３は開口部３６の左右一方側に配設されたユニットであり、タンクレール４５の下端に接続された賞玉払出装置４６と、賞玉払出装置４６から払い出された遊技玉を、上皿１５（図１および図２参照）に導くための払出通路４７とを備えている。
【００３７】
遊技盤５の遊技領域を流下する遊技玉が入賞口役物に入賞したとき、あるいは遊技媒体貸出装置から弾球遊技機１に玉貸指令があったときには、賞玉払出装置４６が駆動され、これにより、遊技玉タンク４４に貯留されている遊技玉がタンクレール４５を通って上皿１５に払い出されるようになっている。
また、図４に示すように、後部ケース３５の背面には、下部装着部３Ｂの背面に位置する領域に、基板装着台４８が着脱可能に装着されており、この基板装着台４８の背面には、たとえば、電源基板４９（図７を併せて参照）が収容された電源基板ケース、および払出制御基板５０（図７を併せて参照）が収容された払出基板ケースがそれぞれ着脱可能に装着されている。
【００３８】
図６は、遊技盤５の背面図である。遊技盤５は、ベニヤ板の合板等により略矩形状に形成されている。遊技盤５の盤面（前面）には、中央部に略円形の遊技領域（図示しない）が設定されている。この遊技領域の周縁には、発射装置７から発射された遊技玉を、遊技領域の左側上部に導くための略円弧状のガイドレール（図示しない）が配設されている。遊技領域には、液晶表示装置を含む構成のセンターケース（図示しない）、多数本の障害釘（図示しない）、入賞口役物（図示しない）、通過ゲート（図示しない）等の各種遊技部品が配設されている。遊技領域の左側上部からガイドレールに沿って遊技領域に放たれた遊技玉は、遊技盤５の盤面に沿って多数本の障害釘の間を通って流下していく。
【００３９】
遊技盤５（遊技盤５を構成するベニヤ板）の裏面には、主制御基板７１（図７を併せて参照）、演出制御基板７２（図７を参照）、液晶制御基板７３（図７を参照）等が配設されている。遊技盤５の裏面には、遊技盤５に配設されたセンターケース等の遊技部品の後方を覆うための裏カバーが配設されている。具体的には、裏カバーは遊技盤５の上部の裏面に装着された上部カバー（図示しない）と、上部カバーの下方に、上部カバーとは個別に遊技盤５の裏面に装着された集玉ケース７４とを備えている。
【００４０】
集玉ケース７４の裏面の右下隅（図６で示す左下部）には、上下方向に一列に配列された盤側コネクタ８１Ａ〜８１Ｄを有する盤側ジョイントユニット８０が配設されている。遊技盤５の遊技盤保持枠部３０に対する装着により、盤側ジョイントユニット８０が枠側ジョイントユニット６０（図５Ａ参照）と連結して、互いに対応する盤側コネクタ８１Ａ〜８１Ｄおよび枠側コネクタ６１Ａ〜６１Ｄ（図５Ａ参照）同士の電気的接続が達成されるようになっている。また、遊技盤５の遊技盤保持枠部３０からの離脱により、盤側ジョイントユニット８０が枠側ジョイントユニット６０と解放されて、互いに対応するコネクタ８１Ａ〜８１Ｄ，６１Ａ〜６１Ｄ同士の電気的接続が切断されるようになっている。
【００４１】
図７は、弾球遊技機１の電気的構成を示すブロック部である。
盤側コネクタ８１Ａ〜８１Ｄと枠側コネクタ６１Ａ〜６１Ｄとの対は、弾球遊技機１に含まれる電気系統の対象毎に複数（この実施形態では４つ）設けられている。
まず、盤側コネクタ８１Ａ〜８１Ｄの接続について説明する。盤側コネクタ８１Ａは、中継コネクタ７６Ａおよびハーネス７７Ａを介して、主制御基板７１の信号出力部に接続されている。盤側コネクタ８１Ｂは、中継コネクタ７６Ｂおよびハーネス７７Ｂを介して、主制御基板７１の電源部に接続されている。盤側コネクタ８１Ｃは、中継コネクタ７６Ｃおよびハーネス７７Ｃを介して、演出制御基板７２の演出信号出力部に接続されている。盤側コネクタ８１Ｄは、中継コネクタ７６Ｄおよびハーネス７７Ｄを介して、それぞれ、演出制御基板７２の電源部および液晶制御基板７３の電源部に接続されている。
【００４２】
次に、枠側コネクタ６１Ａ〜６１Ｄの接続について説明する。枠側コネクタ６１Ａは、ハーネス７８Ａを介して払出制御基板５０に接続されている。枠側コネクタ６１Ｂは、ハーネス７８Ｂを介して電源基板４９に接続されている。枠側コネクタ６１Ｃはハーネス７８Ｃを介して、前扉６の前面の装飾ランプ１１を制御するための装飾ランプ制御基板７９に接続されている。枠側コネクタ６１Ｄは、ハーネス７８Ｄを介して電源基板４９に接続されている。
【００４３】
換言すると、盤側ジョイントユニット８０と枠側ジョイントユニット６０との連結状態では、主制御基板７１は、盤側コネクタ８１Ａおよび枠側コネクタ６１Ａを介して払出制御基板５０と電気的接続されているとともに、盤側コネクタ８１Ｂおよび枠側コネクタ６１Ｂを介して電源基板４９と電気的接続されている。また、前記の連結状態では、演出制御基板７２は、盤側コネクタ８１Ｃおよび枠側コネクタ６１Ｃを介して装飾ランプ制御基板７９と電気的接続されている。さらにまた、演出制御基板７２および液晶制御基板７３は、盤側コネクタ８１Ｄおよび枠側コネクタ６１Ｄを介して電源基板４９と電気的接続されている。
【００４４】
図８は、集玉ケース７４および盤側ジョイントユニット８０の斜視図である。図９は、盤側ジョイントユニット８０の分解斜視図である。
集玉ケース７４は前側が開放した箱状をなしている。集玉ケース７４は下部側に排出口７５を有している。集玉ケース７４は、入賞口役物等に入賞して遊技盤５の裏側に案内された遊技玉を排出口７５に案内するとともに、この排出口７５から下向きに排出させる。なお、この実施形態では、演出制御基板７２（図７参照）を収容する演出制御基板ケース（図示しない）、および液晶制御基板７３（図７参照）を収容する液晶制御基板ケース（図示しない）が上部カバーの裏面に配設されている。また、主制御基板７１（図６および図７参照）を収容する主制御基板ケースが、集玉ケース７４の裏面に配設された主制御基板ケース配置部７０に装着されている。集玉ケース７４を示す図８では、主制御基板ケースを取り外した状態を示している。
【００４５】
集玉ケース７４の裏面の右下隅には、集玉ケース７４本体の裏面よりも前方に向けて凹む盤側ジョイントホルダ部８４が、集玉ケース７４本体と一体的に形成されている。盤側ジョイントホルダ部８４の裏面には、水平方向に対して垂直でかつ左右方向に対して傾斜（左方に向かうに従って前方に向けて傾斜）する平坦状の傾斜面８５が設けられている。傾斜面８５は、集玉ケース７４本体の裏面よりも前方に位置している。換言すると、傾斜面８５は、集玉ケース７４本体の裏面よりも遊技盤５（ベニヤ板）に接近している。傾斜面８５上に、盤側ジョイントユニット８０が配設されている。盤側ジョイントユニット８０は、盤側コネクタ８１Ａ〜８１Ｄ、中継基板８２Ａ〜８２Ｃ、コネクタカバー８３等を有している。各盤側コネクタ８１Ａ〜８１Ｄは、開口端を有する箱状のハウジング部と、ハウジング部内に植設された多数のピン群とを備えている。
【００４６】
傾斜面８５には、中継基板８２Ａ〜８２Ｃが、間隔を空けずにまたは所定間隔を空けた状態で、上下方向に一列に配列されている。この実施形態では、傾斜面８５は、遊技盤５の前面左縁部（後述する支点Ｆ（図１１参照））と当該傾斜面８５とを結ぶ平面上に沿う傾斜面（左方に向かうに従って前方に向かう面）である。換言すると、傾斜面８５は、支点Ｆから左右方向に離れるに従って遊技盤５（ベニヤ板）から後方に離れるとともに、支点Ｆに左右方向に近づくに従って遊技盤５に接近している。
【００４７】
また、各中継基板８２Ａ〜８２Ｃは、当該傾斜面８５と平行に配置されている。なお、この構成に代えて、各中継基板８２Ａ〜８２Ｃが遊技盤５の前面左縁部（後述する支点Ｆ）と中継基板８２Ａ〜８２Ｃとを結ぶ平面上に沿うように形成されていてもよい。この場合、傾斜面８５を、各中継基板８２Ａ〜８２Ｃと平行になるように配置する。
各中継基板８２Ａ〜８２Ｃは、横方向に長い矩形状をなしている。中継基板８２Ａの裏面には、盤側コネクタ８１Ａ，８１Ｂおよび中継コネクタ７６Ａ，７６Ｂが水平姿勢（それらの長手方向が左右になる姿勢）で固定されている。
【００４８】
主制御基板７１の信号出力用の盤側コネクタ８１Ａ、および電源用の盤側コネクタ８１Ｂは、それぞれ、中継基板８２Ａの裏面における右側（後述する支点Ｆと反対側）の領域に上下に配列されている。一方、中継コネクタ７６Ａ，７６Ｂは、中継基板８２Ａの裏面における左側（後述する支点Ｆ側）の領域に上下に配列されている。中継コネクタ７６Ａには、ハーネス７７Ａ（図７参照）が着脱可能に接続されている。また、中継コネクタ７６Ｂにはハーネス７７Ｂ（図７参照）が着脱可能に接続されている。
【００４９】
中継基板８２Ｂの裏面には、演出制御基板７２の演出信号出力用の盤側コネクタ８１Ｃおよび中継コネクタ７６Ｃが、それぞれ水平姿勢で固定されている。盤側コネクタ８１Ｃは右寄りの位置に配置されており、また、中継コネクタ７６Ｃは左寄りの位置に配置されている。中継コネクタ７６Ｃには、ハーネス７７Ｃ（図７参照）が着脱可能に接続されている。
【００５０】
中継基板８２Ｃの裏面には、演出制御基板７２および液晶制御基板７３の電源用の盤側コネクタ８１Ｄおよび中継コネクタ７６Ｄが、それぞれ水平姿勢で固定されている。盤側コネクタ８１Ｄは右寄りの位置に配置されており、また、中継コネクタ７６Ｄは左寄りの位置に配置されている。中継コネクタ７６Ｄには、ハーネス７７Ｄ（図７参照）が着脱可能に接続されている。
【００５１】
換言すると、４つの盤側コネクタ８１Ａ〜８１Ｄは上下一列に配列されており、また、４つの中継コネクタ７６Ａ〜７６Ｄは、盤側コネクタ８１Ａ〜８１Ｄの左方で、上下一列に配列されている。
各中継基板８２Ａ〜８２Ｃは、ねじ（図示しない）により固定されているが、各中継基板８２Ａ〜８２Ｃの左部分の固定は、ねじだけでなく、コネクタカバー８３によっても達成されている。
【００５２】
図１０は、コネクタカバー８３の斜視図である。
コネクタカバー８３は、中継コネクタ７６Ａ〜７６Ｄ（図７および図９参照）およびハーネス７７Ａ〜７７Ｄ（図７参照）を覆うカバーとしての機能と、同時に各中継基板８２Ａ〜８２Ｃを傾斜面８５に向けて押さえる基板押えとしての機能との双方を有している。コネクタカバー８３は、後方に向かうに従って縮幅となり、前方および左方が開放する箱状をなし、３つの中継基板８２Ａ〜８２Ｃに跨がって覆う覆い部９０と、覆い部９０の内部空間を上下に仕切って、各中継コネクタ７６Ａ〜７６Ｄに１対１対応する４つの空間を形成する３枚（複数枚）の仕切り壁９１と、各仕切り壁９１に形成された取付部９２とを有している。各取付部９２は、遊技盤５に対して略垂直な有底円筒状をなしており、各取付部９２には、その後端面から遊技盤５に直交するに沿ってスリット９３が形成されている。
【００５３】
一方、図９に示すように、傾斜面８５の左側縁に沿う上下方向３箇所からは、それぞれ、円筒状の支柱９４（図９を併せて参照）が、傾斜面に垂直な後方に向けて突出している。各支柱９４の外周には、スリット９３に嵌合可能な幅を有し、当該支柱９４に沿って前後方向に延びる略板状のリブ９５が形成されている。取付部９２が対応する支柱９４に内嵌することにより、コネクタカバー８３が傾斜面８５に対して結合される。このとき、取付部９２のリブ９５が支柱９４のスリットに嵌ることにより、コネクタカバー８３の傾斜面８５への固定が達成される。
【００５４】
図１１は、遊技盤５を前枠３の上部装着部３Ａに装着する際における前枠３と集玉ケース７４との間の位置関係を示す要部断面図である。
図５Ａ、図５Ｂ、図６および図１１を参照して、遊技盤５を上部装着部３Ａに装着する際には、遊技盤５の左下縁を、上部装着部３Ａにおける前係合部３３Ｃが配設されかつ下側の左下隅部（下支持枠３２と左支持枠３３との境界部分）にあてがいつつ、遊技盤５の左縁部を上部装着部３Ａ内に挿入する。その状態で、遊技盤５の左縁部を前係合部４３Ｃに係合させつつ、当該係合部分を支点Ｆ（図１１参照）として遊技盤５を回動させて、遊技盤５の右部分を上部装着部３Ａ内に向けて押し込む。
【００５５】
遊技盤５の右部分を後方に向けて回動させると（すなわち、支点Ｆを中心として平面視で反時計方向に回動させると）、盤側ジョイントユニット８０の盤側コネクタ８１Ａ〜８１Ｄと、枠側ジョイントユニット６０の枠側コネクタ６１Ａ〜６１Ｄとが対向するようになる。この状態で、遊技盤５の右部分を後方に向けて押し込むと、枠側コネクタ６１Ａ〜６１Ｄが対応する盤側コネクタ８１Ａ〜８１Ｄに、支点Ｆを中心とする円の略接線方向に沿って嵌入し、これにより、枠側コネクタ６１Ａ〜６１Ｄが対応する盤側コネクタ８１Ａ〜８１Ｄに内嵌する。その状態で、上下一対の遊技盤ロック部材（図示しない）をそれぞれ回転させて、遊技盤ロック部材と遊技盤５とを係合させることにより、上部装着部３Ａ内で遊技盤５を固定することができ、これにより、遊技盤５の上部装着部３Ａへの装着が達成される。
【００５６】
図１２は、枠側ジョイントユニット６０をジョイントユニットホルダ５２から取り外した状態を示す斜視図である。図１３は、枠側ジョイントユニット６０の分解斜視図である。
図１２に示すように、ジョイントユニットホルダ５２は、正面視矩形状のホルダ底板５３を有し、前方が開放する箱状をなしている。ホルダ底板５３の前面は、前後方向に垂直な面である。ジョイントユニットホルダ５２のケーシングは、後部ケース３５の後壁部３５５と一体的に形成されている。ホルダ底板５３の前面左端縁からは、たとえば上下一対の外郭円筒状の取付け用ボス５４が前方に向けて突出して形成されている。ホルダ底板５３の前面右端縁からは、上下一対の外郭円筒状の取付け用ボス５５が前方に向けて突出して形成されている。各取付け用ボス５４の先端面にはねじ孔５４Ａが形成されている。また、各取付け用ボス５５の先端面にはねじ孔５５Ａが形成されている。これら取付け用ボス５４，５５を介して、ジョイントユニットホルダ５２（ホルダ底板５３）の前面に、枠側ジョイントユニット６０が取り付けられている。
【００５７】
枠側ジョイントユニット６０は、４つの枠側コネクタ６１Ａ〜６１Ｄと、前側ベース部材１００と、後ろ側ベース部材（後側ベース部材）１２０とを備えている。
図１２および図１３に示すように、前側ベース部材１００は、矩形の前側ベース板１０１を有している。前側ベース板１０１には、各枠側コネクタ６１Ａ〜６１Ｄのコネクタ先端部６４が通過するための４つの前側挿通孔（個別窓）１０２Ａ，１０２Ｂ，１０２Ｃ，１０２Ｄが上下一列に並んで形成されている。前側ベース板１０１は、遊技盤５（図６参照）の上部装着部３Ａ（図５Ａおよび図５Ｂ参照）に対する装着状態での盤側ジョイントユニット８０の各中継基板８２Ａ〜８２Ｃ（図９参照）と略平行になるように配置されている。換言すると、前側ベース板１０１は、その前面がホルダ底板５３の前面に対して所定角度傾斜している。
【００５８】
また、後ろ側ベース部材１２０は、矩形の後ろ側ベース板１２１を有している。後ろ側ベース板１２１には、各枠側コネクタ６１Ａ〜６１Ｄのコネクタ基端部６５が通過するための４つの後ろ側挿通孔１２２Ａ，１２２Ｂ，１２２Ｃ，１２２Ｄが上下一列に並んで形成されている。後ろ側ベース板１２１は、前側ベース板１０１同様、遊技盤５の上部装着部３Ａに対する装着状態での盤側ジョイントユニット８０の各中継基板８２Ａ〜８２Ｃと略平行になるように配置されている。
【００５９】
各枠側コネクタ６１Ａ〜６１Ｄは、そのコネクタ先端部６４が対応する前側通過窓１０２Ａ〜１０２Ｄを挿通し、前側ベース板１０１の前面よりも前方に突出した状態で、前側ベース部材１００または後ろ側ベース部材１２０に（この実施形態では、後ろ側ベース部材１２０に）遊嵌状態で支持されている。より具体的には、各枠側コネクタ６１Ａ〜６１Ｄの左右一対の張出部６７には、その前後面（先端側の面および基端側の面）を貫通する貫通孔（収容部）６８（図１６参照）が形成されている。また、各貫通孔６８内には、遊嵌金具（遊嵌具）６９の円筒部（筒状部）６９Ａ（図１６参照）が、遊嵌状態で結合されている。後ろ側ベース板１２１の前面から突出する４本の支持軸（軸部）１２４が、各枠側コネクタ６１Ａ〜６１Ｄの各遊嵌金具６９の円筒部６９Ａ内を挿通し、かつ当該円筒部６９Ａに固定されている。この実施形態では、支持軸１２４、貫通孔６８および遊嵌金具６９によって、遊嵌支持構造が構成されている。
【００６０】
枠側コネクタ６１Ａは１８極（１８ピン）の雌コネクタであり、枠側コネクタ６１Ｂは２４極（２４ピン）の雌コネクタである。また、枠側コネクタ６１Ｃは２０極（２０ピン）の雌コネクタであり、枠側コネクタ６１Ｄは１６極（１６ピン）の雌コネクタである。枠側コネクタ６１Ａ〜６１Ｄの極数は互いに異なっているが、それ以外は略同等の構成である。次に、枠側コネクタ６１Ａ〜６１Ｄの各構成を詳細に説明するが、枠側コネクタ６１Ａを例に挙げて説明し、それ以外の枠側コネクタ６１Ｂ〜６１Ｄについての説明は省略する。
【００６１】
図１４および図１６は、枠側コネクタ６１Ａの平面図および要部断面図である。図１５は、図１４に示す矢視Ｐから見た図である。
各枠側コネクタ６１Ａは、開口端を有する箱状のハウジング部６２と、ハウジング部６２に形成された多数個のピン孔（接続部分。図示しない）とを有している。ハウジング部６２は、樹脂材料を用いて形成されている。
【００６２】
ハウジング部６２は、外郭長方体形状をなして、左右方向に沿って延びるコネクタ胴部６３と、コネクタ胴部６３から先端側に向けて突出し、各枠側コネクタ６１Ａと、対応する盤側コネクタ８１Ａ（図６および図８参照）との電気的接続時に、盤側コネクタ８１Ａに内嵌するコネクタ先端部６４と、コネクタ胴部６３から基端側に向けて突出し、ハーネス７８Ａ（図１４〜図１６では図示しない）の一端が挿入されたコネクタ基端部６５とを備えている。
【００６３】
コネクタ先端部６４は、横方向に長い略四角筒状をなしている。その内部には、先端側を向いた多数個のピン孔（図示しない）が配設されている。各ピン孔には、コンタクト（図示しない）を介してハーネス７８Ａの一端が電気的に接続されている。コネクタ先端部６４には、その左右端部から先端側に向けてそれぞれ突出する一対の案内部６６が形成されている。案内部６６は、対応する盤側コネクタ８１Ａの先端部と係合して、当該盤側コネクタ８１Ａのハウジング部６２内へと案内するための案内部である。
【００６４】
ハウジング部６２のコネクタ胴部６３は、その左端部および右端部に、コネクタの前後方向から見たときにコネクタ先端部６４よりも横方向外側（左右）に大きく張り出す張出部６７をそれぞれ備えている。前述のように各張出部６７には、その前後面を、その長手方向と垂直な方向に貫通する貫通孔６８が形成されている。各貫通孔６８は断面円形状をなしている。
【００６５】
図１５および図１６に示すように、一対の遊嵌金具６９は略同じ諸元を有している。各遊嵌金具６９は、円筒部６９Ａと、円筒部６９Ａの両端から径方向の外方に向けてそれぞれ突出する一対のフランジ６９Ｂとを備えている。貫通孔６８の径は、円筒部６９Ａの径よりも大径に設定されている。これにより、円筒部６９Ａは、貫通孔６８に遊嵌している。
【００６６】
一対のフランジ６９Ｂによって、貫通孔６８からの円筒部６９Ａの抜止めが達成されている。また、円筒部６９Ａは、その軸長から各フランジ６９Ｂの厚み分を差し引いた長さが、張出部６７の前後厚みと一致するように設定されている。そのため、円筒部６９Ａが、張出部６７に対して軸方向移動するのを抑制できるとともに、円筒部６９Ａが支持軸１２４（図１３参照）に対して傾倒姿勢になるのを抑制することができる。
【００６７】
また、前述のように、円筒部６９Ａ内には支持軸１２４が挿通している。支持軸１２４と円筒部６９Ａとの間の固定は、たとえば支持軸１２４と円筒部６９Ａとの締り嵌め（圧入）により達成されていてもよいし、また、接着剤を用いた接着によって達成されていてもよい。
図１７および図１８は、前側ベース部材１００の平面図および斜視図である。図１２、図１３、図１７および図１８を参照して前側ベース部材１００について詳細に説明する。
【００６８】
前側ベース部材１００は、前側ベース板１０１と、前側ベース板１０１の下端縁から前方に向けて突出する底壁１０３とを有している。前側ベース板１０１は前述のように略矩形状をなしている。前側ベース板１０１の周縁には、前側ベース板１０１の前面に垂直な後ろ方向に向けて突出する前側枠部１０４が形成されている。
底壁１０３は、ホルダ底板５３の前面に沿う前端面１０３Ａを有している。そのため、底壁１０３の前端面１０３Ａは、前側ベース板１０１の前面に対して所定角度傾斜している。より詳しくは、右側に向かうに従って、その前端面１０３Ａと前側ベース板１０１の前面との間隔が大きくなっている。
【００６９】
前側ベース板１０１に形成される各前側挿通孔１０２Ａ〜１０２Ｄは、横方向に長い長方形状をなしている。前側挿通孔１０２Ａは、枠側コネクタ６１Ａのコネクタ先端部６４が挿通される挿通孔であり、枠側コネクタ６１Ａのコネクタ先端部６４が挿通可能な大きさに設定されている。前側挿通孔１０２Ｂは、枠側コネクタ６１Ｂのコネクタ先端部６４が挿通される挿通孔であり、枠側コネクタ６１Ｂのコネクタ先端部６４が挿通可能な大きさに設定されている。前側挿通孔１０２Ｃは、枠側コネクタ６１Ｃのコネクタ先端部６４が挿通される挿通孔であり、枠側コネクタ６１Ｃのコネクタ先端部６４が挿通可能な大きさに設定されている。前側挿通孔１０２Ｄは、枠側コネクタ６１Ｄのコネクタ先端部６４が挿通される挿通孔であり、枠側コネクタ６１Ｄのコネクタ先端部６４が挿通可能な大きさに設定されている。
【００７０】
前側ベース板１０１の右上隅部、および右下隅部よりやや上方位置には、枠側ジョイントユニット６０（すなわち、４つの枠側コネクタ６１Ａ〜６１Ｄと、前側ベース部材１００と、後ろ側ベース部材１２０とを互いに組み付けた状態のユニット）を、取付け用ボス５５の先端部にねじ固定する際に用いられるユニット固定用ねじ挿通孔１０５がそれぞれ形成されている。各ユニット固定用ねじ挿通孔１０５は、ホルダ底板５３の前面（底壁１０３の前端面１０３Ａ）に垂直な方向に延びている。
【００７１】
また、前側ベース板１０１の右上隅部、左下隅部、右下隅部、および前側挿通孔１０２Ｃと前側挿通孔１０２Ｄとの間には、前側ベース部材１００を、後ろ側ベース板１２１のボス部１２５の先端部にねじ固定する際に用いられるベース部材固定用ねじ挿通孔１０６がそれぞれ形成されている。各ベース部材固定用ねじ挿通孔１０６は、前側ベース板１０１の前面（および裏面）に垂直な方向に延びている。前側ベース板１０１の右上隅部のベース部材固定用ねじ挿通孔１０６と、前側ベース板１０１の右上隅部のユニット固定用ねじ挿通孔１０５とは、互いに隣接して左右に並設されている。前側ベース板１０１の裏面には、上下に隣接する前側挿通孔１０２Ａ〜１０２Ｄのそれぞれの間に、前側ベース板１０１の左端縁から右端縁に向けて左右方向に延びる前側リブ１０７が突出形成されている。この実施形態では、ユニット固定用ねじ挿通孔１０５、ベース部材固定用ねじ挿通孔１０６およびボス部１２５によって、結合構造が構成されている。
【００７２】
図１８に示すように、前側ベース板１０１の裏面には、各前側挿通孔１０２Ａ〜１０２Ｄの左方および右方に、各支持軸１２４の先端部を受け止めて収容するための略円筒状のボス部１０８がそれぞれ設けられている。具体的には、前側ベース板１０１には、ボス部１０８を設けるべき部分に丸孔（図示しない）が形成されており、丸孔には、金属製または樹脂製の凹み部材１０９が嵌められている。各凹み部材１０９は、有底の円筒１１０と、円筒１１０の先端縁に内端縁が接続された環状板１１１とを一体的に有している。
【００７３】
凹み部材１０９は、その先端側（環状板１１１側）を後方に向けて、円筒１１０が前側ベース板１０１の後方から丸孔に嵌められた状態で前側ベース板１０１に固定されている。円筒１１０は、丸孔を通って前側ベース板１０１の前方に突出している。この円筒１１０によって区画される空間内に、各支持軸１２４の先端部が収容される。
また、前側ベース板１０１の左端部には、それぞれ前側ベース板１０１の前面（または後面）に垂直な後方に向けて膨出する上下一対の膨出部１１２が形成されている。具体的には、上側の膨出部１１２は、前側挿通孔１０２Ｃの左側のボス部１０８と、前側挿通孔１０２Ｄの左側のボス部１０８との間に配置されており、下側の膨出部１１２は、前側挿通孔１０２Ａの左側のボス部１０８と、前側挿通孔１０２Ｂの左側のボス部１０８との間に配置されている。なお、上側の膨出部１１２は、前側挿通孔１０２Ｃと前側挿通孔１０２Ｄとの間に形成されるベース部材固定用ねじ挿通孔１０６と隣接して並設されている。各膨出部１１２の底部（最も後位置）には、取付け用ボス５４の先端部に形成されたねじ孔５４Ａにねじ止めするためのねじ挿通孔１１３が形成されている。
【００７４】
図１９および図２１は、後ろ側ベース部材１２０の平面図及び斜視図である。図２０は、図１９に示す矢視Ｑから見た図である。図１２、図１３および図１９〜図２１を参照して後ろ側ベース部材１２０について詳細に説明する。
前述のように、後ろ側ベース部材１２０は、略矩形状の後ろ側ベース板１２１を有している。後ろ側べース板１２１の周縁には、後方に向けて突出する後ろ側枠部１２３が形成されている。厳密には、後ろ側ベース板１２１の左端縁の後ろ側枠部１２３は、ホルダ底板５３の前面に沿う前端面１０３Ａの垂直に延びているが、後ろ側枠部１２３におけるその他の部分は、後ろ側ベース板１２１の前面（または裏面）に垂直に延びている。
【００７５】
後ろ側ベース板１２１に形成される各後ろ側挿通孔１２２Ａ〜１２２Ｄは、横方向に長い長方形状をなしている。後ろ側挿通孔１２２Ａは、枠側コネクタ６１Ａのコネクタ基端部６５が挿通される挿通孔であり、枠側コネクタ６１Ａのコネクタ基端部６５が挿通可能な大きさに設定されている。後ろ側挿通孔１２２Ｂは、枠側コネクタ６１Ｂのコネクタ基端部６５が挿通される挿通孔であり、枠側コネクタ６１Ｂのコネクタ基端部６５が挿通可能な大きさに設定されている。後ろ側挿通孔１２２Ｃは、枠側コネクタ６１Ｃのコネクタ基端部６５が挿通される挿通孔であり、枠側コネクタ６１Ｃのコネクタ基端部６５が挿通可能な大きさに設定されている。後ろ側挿通孔１２２Ｄは、枠側コネクタ６１Ｄのコネクタ基端部６５が挿通される挿通孔であり、枠側コネクタ６１Ｄのコネクタ基端部６５が挿通可能な大きさに設定されている。
【００７６】
後ろ側ベース板１２１の前面には、各後ろ側挿通孔１２２Ａ〜１２２Ｄの左方および右方（後ろ側ベース板１２１の前面におけるボス部１０８と対向する部分）に、支持軸１２４が設けられている。各支持軸１２４は、後ろ側ベース板１２１の前面（および裏面）と垂直な前方に向けて突出し、後ろ側ベース板１２１と一体的に形成されている。各支持軸１２４はたとえば円柱状をなしており、各支持軸１２４の軸長は等しくされている。
【００７７】
また、後ろ側ベース板１２１の右上隅部、左下隅部、右下隅部、および後ろ側挿通孔１２２Ｃと後ろ側挿通孔１２２Ｄとの間（後ろ側ベース板１２１における、前側挿通孔１０２Ｃと前側挿通孔１０２Ｄとの間のベース部材固定用ねじ挿通孔１０６と対向する部分）には、後ろ側ベース板１２１の前面（および裏面）に垂直な方向に延びる円柱状のボス部１２５がそれぞれ配設されている。各ボス部１２５の先端部には、前側ベース部材１００と後ろ側ベース部材１２０とをねじ固定するためのねじ孔１２６が形成されている。後ろ側ベース板１２１の前面には、上下に隣接する後ろ側挿通孔１２２Ａ〜１２２Ｄのそれぞれの間に、後ろ側ベース板１２１の左端縁から右端縁に向けて左右方向に延びる後ろ側リブ１２７が突出形成されている。
【００７８】
また、後ろ側ベース板１２１の左端部には、その前後を貫通する上下一対のボス挿通孔１２８が形成されている。各ボス挿通孔１２８は、ジョイントユニットホルダ５２の取付け用ボス５５が挿通するための挿通孔であり、取付け用ボス５５が遊びのない状態で挿通する程度の大きさに設定されている。また、各ボス挿通孔１２８は、後ろ側ベース板１２１の前面（および裏面）に垂直な方向に延びている。
【００７９】
後ろ側ベース板１２１の後面下端部には、平面視四角枠状のハーネス押さえ枠１２９が設けられている。各枠側コネクタ６１Ａ〜６１Ｄから延びるハーネス７８Ａ〜７８Ｄがハーネス押さえ枠１２９の内部を通ることにより、当該ハーネス押さえ枠１２９によって押さえられる。
図１２および図１３を参照しつつ、枠側ジョイントユニット６０の組立て、および枠側ジョイントユニット６０のジョイントユニットホルダ５２に対する取付けについて説明する。
【００８０】
図１３に示すように、枠側ジョイントユニット６０の組立ての際には、先ず、４つの枠側コネクタ６１Ａ〜６１Ｄが、後ろ側ベース部材１２０に対して位置決めされる。このとき、各枠側コネクタ６１Ａ〜６１Ｄの各遊嵌金具６９の円筒部６９Ａが、対応する各支持軸１２４に外挿させられるとともに、枠側コネクタ６１Ａ〜６１Ｄのコネクタ基端部６５が、対応する後ろ側挿通孔１２２Ａ〜１２２Ｄに前方から嵌め入れられる。これにより、各枠側コネクタ６１Ａ〜６１Ｄが、後ろ側ベース部材１２０に対して位置決めされる。
【００８１】
次いで、後ろ側ベース部材１２０に、前方から前側ベース部材１００が取り付けられる。このとき、各前側挿通孔１０２Ａ〜１０２Ｄが、対応する枠側コネクタ６１Ａ〜６１Ｄのコネクタ先端部６４に前方から外嵌させられる（対応するコネクタ先端部６４が、前側挿通孔１０２Ａ〜１０２Ｄに後方から嵌め入れられる）とともに、各支持軸１２４の先端部が、ボス部１０８内（円筒１１０内）に収容される。これにより、前側ベース部材１００の後ろ側ベース部材１２０に対する位置決めが達成される。
【００８２】
この位置決め状態では、平面視において、後ろ側ベース部材１２０における右上隅部、左下隅部、右下隅部、および後ろ側挿通孔１２２Ｃと後ろ側挿通孔１２２Ｄとの間のねじ孔１２６は、それぞれ、前側ベース部材１００における右上隅部、左下隅部、右下隅部、および前側挿通孔１０２Ｃと前側挿通孔１０２Ｄとの間のベース部材固定用ねじ挿通孔１０６に一致している。前側ベース部材１００の各ベース部材固定用ねじ挿通孔１０６を通して、後ろ側ベース部材１２０の対応するねじ孔１２６にねじが挿通されることにより、前側ベース部材１００と後ろ側ベース部材１２０とが固定される。これにより、前側ベース部材１００、後ろ側ベース部材１２０および４つの枠側コネクタ６１Ａ〜６１Ｄの組付け（枠側ジョイントユニット６０の組立て）が達成される。
【００８３】
次いで、図１２に示すように、組立て後の枠側ジョイントユニット６０がジョイントユニットホルダ５２に取り付けられる。ホルダ底板５３の左端部における上下の取付け用ボス５４が、それぞれ、上下のボス挿通孔１２８内を挿通され、これにより、ジョイントユニットホルダ５２に対する枠側ジョイントユニット６０の位置決めが達成される。このとき、上下の取付用ボス５４の先端は、それぞれ、前側ベース部材１００における対応する膨出部１１２の底部（最も後位置）裏面に近接し、平面視において、上下の膨出部１１２のねじ挿通孔１１３が、それぞれ、取付け用ボス５４のねじ孔５４Ａに一致する。
【００８４】
また、ホルダ底板５３の右端部における上下の取付け用ボス５５の先端が、それぞれ、後ろ側ベース部材１２０の裏面に近接し、平面視において、上下のユニット固定用ねじ挿通孔１０５が、それぞれ、取付け用ボス５５のねじ孔５５Ａに一致する。
各ねじ挿通孔１１３を通して、ジョイントユニットホルダ５２の対応するねじ孔５４Ａにねじが挿通されるとともに、各ユニット固定用ねじ挿通孔１０５を通して、ジョイントユニットホルダ５２の対応するねじ孔５５Ａにねじが挿通されることにより、ジョイントユニットホルダ５２に対する枠側ジョイントユニット６０の固定が達成される。
【００８５】
以上によりこの実施形態によれば、各枠側コネクタ６１Ａ〜６１Ｄには、貫通孔６８に遊嵌金具６９の円筒部６９Ａが遊嵌状態で内嵌されている。後ろ側ベース部材１２０の支持軸１２４が円筒部６９Ａ内に挿通させられるとともに、前側ベース部材１００と後ろ側ベース部材１２０とが互いに固定されることにより、支持軸１２４に対する円筒部６９Ａの抜止めが達成される。これにより、４つの枠側コネクタ６１Ａ〜６１Ｄが、後ろ側ベース部材１２０に対して遊嵌状態で結合される。このとき、枠側コネクタ６１Ａ〜６１Ｄがベース部材１００，１２０に直接固定されていない。そのため、前側および後ろ側ベース部材１００，１２０同士の固定の強さ（ねじの締結量）とは無関係に、前側または後ろ側ベース部材１００，１２０に対する枠側コネクタ６１Ａ〜６１Ｄの移動量を設定することができる。これにより、枠側コネクタ６１Ａ〜６１Ｄのベース部材１００，１２０に対する結合を強固にしつつ、ベース部材１００，１２０に対する枠側コネクタ６１Ａ〜６１Ｄの移動量を十分に確保することができる。
【００８６】
以上、この発明の一実施形態について説明したが、本発明は他の形態で実施することもできる。
たとえば、支持軸１２４の先端部を収容するためのボス部１０８は、前側ベース板１０１の丸孔に、外付けの凹み部材１０９がその後方から嵌められた構成に限られない。たとえば、前側ベース板１０１の裏面に一体的に形成された円筒によって、支持軸１２４の先端部を受ける構成であってもよい。
【００８７】
また、支持軸１２４による各枠側コネクタ６１Ａ〜６１Ｄの遊嵌支持は、前述のように、貫通孔６８に取り付けられた遊嵌金具６９内に支持軸１２４を挿通させ、かつ遊嵌金具６９と支持軸１２４とを固定させる方式に限られない。たとえば、貫通孔６８内に支持軸１２４が直接挿通され、かつ支持軸１２４が貫通孔６８に固定されていない構成であってもよい。この場合には、貫通孔６８の内径が、支持軸１２４の断面直径よりも大きいので、支持軸１２４が貫通孔６８に遊嵌される。
【００８８】
また、窓としての前側挿通孔として、４つの枠側コネクタ６１Ａ〜６１Ｄが一括して挿通する大型の前側挿通孔窓を前側ベース板１０１に形成するようにしてもよい。
また、前側ベース部材１００と後ろ側ベース部材１２０との固定は、ねじによる固定に限られず、嵌合いや接着により互いに固定されていてもよい。
さらに、遊技盤保持枠部３０に対する遊技盤５の着脱態様が、遊技盤保持枠部３０の前側からではなく、遊技盤保持枠部３０の裏側から行う態様であってもよい。この場合、枠側ジョイントユニット６０を、遊技盤保持枠部３０に装着された盤側ジョイントユニット８０の前方に対向する位置に配置すればよい。
【００８９】
また、各枠側コネクタ６１Ａ〜６１Ｄにハーネス７８Ａ〜７８Ｄの一端が接続され、かつ各盤側コネクタ８１Ａ〜８１Ｄは中継基板８２Ａ，８２Ｂ，８２Ｃに実装されているとして説明したが、各枠側コネクタ６１Ａ〜６１Ｄが中継基板等の基板に実装され、かつ各盤側コネクタ８１Ａ〜８１Ｄにハーネス７７Ａ〜７７Ｄの一端が接続されていてもよい。
また、各枠側コネクタ６１Ａ〜６１Ｄとして、後ろ側ベース部材１２０ではなく、前側ベース部材１００に、遊嵌状態で支持される構成を採用することもできる。この場合、各枠側コネクタ６１Ａ〜６１Ｄを支持するための支持軸１２４が、前側ベース部材１００の裏面から、前側ベース部材１００の裏面（または前面）と垂直な後方に向けて突出して形成されていてもよい。支持軸１２４が、前側ベース板１０１と一体的に形成されていればなお好ましい。
【００９０】
また、前枠３に設置される枠側コネクタ６１Ａ〜６１Ｄではなく、遊技盤５の裏面に設置される盤側コネクタ８１Ａ〜８１Ｄを、遊嵌状態で支持される第１コネクタに採用することもできる。この場合、枠側コネクタ６１Ａ〜６１Ｄが第２コネクタに採用される。
その他、特許請求の範囲に記載された事項の範囲で種々の設計変更を施すことが可能である。
【符号の説明】
【００９１】
１  弾球遊技機
３  前枠（遊技盤保持枠）
５  遊技盤
６０  盤側ジョイントユニット（第１ジョイントユニット）
６１Ａ，６１Ｂ，６１Ｃ，６１Ｄ  枠側コネクタ
６２  ハウジング部
６８  貫通孔（嵌合孔）
６９  遊嵌金具
６９Ａ  円筒部
８１Ａ，８１Ｂ，８１Ｃ，８１Ｄ  盤側コネクタ
１００  前側ベース部材
１０２Ａ，１０２Ｂ，１０２Ｃ，１０２Ｄ  前側挿通孔（個別窓）
１０８  ボス部
１２０  後ろ側ベース部材
１２４  支持軸
【図１】
0005889656.tif 000002
【図２】
0005889656.tif 000003
【図３】
0005889656.tif 000004
【図４】
0005889656.tif 000005
【図５Ａ】
0005889656.tif 000006
【図５Ｂ】
0005889656.tif 000007
【図６】
0005889656.tif 000008
【図７】
0005889656.tif 000009
【図８】
0005889656.tif 000010
【図９】
0005889656.tif 000011
【図１０】
0005889656.tif 000012
【図１１】
0005889656.tif 000013
【図１２】
0005889656.tif 000014
【図１３】
0005889656.tif 000015
【図１４】
0005889656.tif 000016
【図１５】
0005889656.tif 000017
【図１６】
0005889656.tif 000018
【図１７】
0005889656.tif 000019
【図１８】
0005889656.tif 000020
【図１９】
0005889656.tif 000021
【図２０】
0005889656.tif 000022
【図２１】
0005889656.tif 000023